【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
対象の気道に呼吸可能ガスの加圧流を供給するシステムにおいて、前記システムが、
対象の気道に供給する呼吸可能ガスの加圧流を発生する圧力発生器と、
前記対象による呼吸努力に関する情報を伝える出力信号を発生する１つ又は複数のセンサと、
コンピュータプログラムモジュールを実行する１つ又は複数のプロセッサと、
を有し、前記コンピュータプログラムモジュールが、
目標平均一回換気量が前記対象に対する呼吸中に維持されるように、治療レジメンによって前記圧力発生器を制御する制御モジュールと、
前記目標平均一回換気量を維持する吸気圧レベルを決定する吸気圧モジュールと、
前記発生された出力信号に基づいて前記対象の現在の呼吸速度を動的に決定する速度決定モジュールであって、前記目標平均一回換気量を維持する治療的呼吸速度を決定する速度決定モジュールと、
前記目標平均一回換気量を維持する呼気圧レベルを決定する呼気圧モジュールと、
を有し、前記制御モジュールは、前記対象による呼吸が前記現在の呼吸速度と前記治療呼吸速度との間の差を減少させることにより前記治療的呼吸速度で維持されるように、吸気中に前記呼吸可能ガスの加圧流が前記吸気圧モジュールにより決定される前記吸気圧レベルで供給されるように、及び呼気中に前記呼吸可能ガスの加圧流が前記子気圧モジュールにより決定される前記呼気圧レベルで供給されるように、前記圧力発生器を制御する、システム。
【請求項２】
前記吸気圧モジュールが、ベースライン圧力レベルを決定し、前記コンピュータプログラムモジュールが、前記発生された出力信号に基づいて、前記対象により行われる自発的呼吸を識別する自発的呼吸モジュールを有し、前記制御モジュールが、
（ａ）所定の呼吸が前記自発的呼吸モジュールにより自発的呼吸であると識別されることに応答して、前記所定の呼吸の吸気中の前記呼吸可能ガスの加圧流の圧力が、前記ベースラインレベルに維持され、
（ｂ）前記所定の呼吸が前記自発的呼吸モジュールにより自発的呼吸であると識別されないことに応答して、前記所定の呼吸の吸気中の前記呼吸可能ガスの加圧流の圧力が、前記ベースラインレベルより高いブーストレベルで維持される、
ように構成される、請求項１に記載のシステム。
【請求項３】
前記速度決定モジュールは、前記制御モジュールが前記治療レジメンによって前記呼吸可能ガスの加圧流を発生するように前記圧力発生器を制御する治療セッションの開始時に又は近くにモニタされる前記対象の自発的呼吸に基づいて前記治療呼吸速度を決定する、請求項１に記載のシステム。
【請求項４】
前記システムが、前記治療セッション中に前記対象の覚醒を検出する覚醒検出モジュールを有し、前記速度決定モジュールが、検出された覚醒中に前記現在の呼吸速度を減少する、請求項３に記載のシステム。
【請求項５】
前記圧力のブーストレベルが、前記ベースラインレベル及びブースト量の和に等しく、前記コンピュータプログラムモジュールが、前記対象の呼吸に基づいて前記ブースト量を決定するブースト決定モジュールを有する、請求項２に記載のシステム。
【請求項６】
呼吸可能ガスの加圧流の圧力レベルを決定する方法において、
対象の気道に供給する呼吸可能ガスの加圧流を発生するステップと、
前記対象の呼吸努力に関する情報を伝える出力信号を発生するステップと、
目標平均一回換気量を維持する吸気圧レベルを動的に決定するステップと、
前記目標平均一回換気量を維持する呼気圧レベルを動的に決定するステップと、
前記発生された出力信号に基づいて前記対象の現在の呼吸速度を動的に決定するステップと、
前記目標平均一回換気量を維持する治療的呼吸速度を動的に決定するステップと、
前記対象による呼吸が前記現在の呼吸速度と前記治療呼吸速度との間の差を減少させることにより前記治療的呼吸速度で維持されるように、吸気中に前記呼吸可能ガスの加圧流が前記決定された前記吸気圧レベルで供給されるように、及び呼気中に前記呼吸可能ガスの加圧流が前記決定された呼気圧レベルで供給されるように、治療レジメンによって前記呼吸可能ガスの加圧流の発生を制御するステップと、
を有する方法。
【請求項７】
前記動的に決定された吸気圧レベルが、ベースライン圧力レベルであり、前記方法が、前記発生された出力信号に基づいて、前記対象により行われる自発的呼吸を識別するステップを有し、前記呼吸可能ガスの加圧流の発生を制御するステップが、
（ａ）所定の呼吸が自発的呼吸であると識別されることに応答して、前記所定の呼吸の吸気中の前記呼吸可能ガスの加圧流の圧力をベースラインレベルに維持するステップと、
（ｂ）前記所定の呼吸が自発的呼吸であると識別されないことに応答して、前記所定の呼吸の吸気中の前記呼吸可能ガスの加圧流の圧力を、前記ベースラインレベルより高いブーストレベルに維持するステップと、
を有する、請求項６に記載の方法。
【請求項８】
前記治療的呼吸速度の決定は、前記呼吸可能ガスの加圧流の発生が前記治療レジメンによって制御される治療セッションの開始時に又は近くにモニタされる前記対象の自発的呼吸に基づく、請求項６に記載の方法。
【請求項９】
前記治療セッション中に前記対象の覚醒を検出するステップと、
検出された覚醒中に前記現在の呼吸速度を減少するステップと、
を有する、請求項８に記載の方法。
【請求項１０】
前記圧力のブーストレベルが、前記ベースラインレベル及びブースト量の和に等しく、前記方法が、前記対象の呼吸に基づいて前記ブースト量を決定するステップを有する、請求項７に記載の方法。
【請求項１１】
対象の気道に呼吸可能ガスの加圧流を供給するシステムにおいて、
対象の気道に供給する呼吸可能ガスの加圧流を発生する手段と、
前記対象による呼吸努力に関する情報を伝える出力信号を発生する手段と、
目標平均一回換気量を維持する吸気圧レベルを動的に決定する手段と、
前記目標平均一回換気量を維持する呼気圧レベルを動的に決定する手段と、
前記発生された出力信号に基づいて前記対象の現在の呼吸速度を動的に決定する手段と、
前記目標平均一回換気量を維持する治療的呼吸速度を動的に決定する手段と、
前記対象による呼吸が前記現在の呼吸速度と前記治療呼吸速度との間の差を減少させることにより前記治療的呼吸速度で生じるように、吸気中に前記呼吸可能ガスの加圧流が前記決定された吸気圧レベルで供給されるように、及び呼気中に前記呼吸可能ガスの加圧流が前記決定された呼気圧レベルで供給されるように、前記目標平均一回換気量を維持する治療レジメンによって前記呼吸可能ガスの加圧流の発生を制御する手段と、
を有するシステム。
【請求項１２】
前記動的に決定された吸気圧レベルが、ベースライン圧力レベルであり、前記システムが、前記対象により行われる自発的呼吸を識別する手段を有し、前記呼吸可能ガスの加圧流の発生を制御する手段は、
（ａ）所定の呼吸が前記自発的呼吸モジュールにより自発的呼吸であると識別されることに応答して、前記所定の呼吸の吸気中の前記呼吸可能ガスの加圧流の圧力が、前記ベースラインレベルに維持され、
（ｂ）前記所定の呼吸が前記自発的呼吸モジュールにより自発的呼吸であると識別されないことに応答して、前記所定の呼吸の吸気中の前記呼吸可能ガスの加圧流の圧力が、前記ベースラインレベルより高いブーストレベルで維持される、
ように構成される、請求項１１に記載のシステム。
【請求項１３】
前記治療的呼吸速度の決定は、前記呼吸可能ガスの加圧流の発生が前記治療レジメンによって制御される治療セッションの開始時に又は近くにモニタされる前記対象の自発的呼吸に基づいて行われる、請求項１１に記載のシステム。
【請求項１４】
前記治療セッション中に前記対象の覚醒を検出する手段と、
検出された覚醒中に前記現在の呼吸速度を減少する手段と、
を有する、請求項１３に記載のシステム。
【請求項１５】
前記圧力のブーストレベルが、前記ベースラインレベル及びブースト量の和に等しく、前記システムが、前記対象の呼吸に基づいて前記ブースト量を決定する手段を有する、請求項１２に記載のシステム。